(57)【特許請求の範囲】
【請求項１】
外部の映像送信装置を探索する探索手段と、
探索により発見された前記映像送信装置から、自装置との無線通信を許可するための許可情報を受信する受信手段と、
前記許可情報を認証した映像送信装置と無線接続を確立する接続手段と、
自装置と無線接続したことがある映像送信装置を登録する登録手段と、
前記登録手段に登録されている映像送信装置と、自装置との無線接続が確立されている映像送信装置と、前記登録されている映像送信装置及び前記無線接続が確立されている映像送信装置のどちらにも該当しない映像送信装置と、を区別した表示形態で、表示画面に、前記探索により発見された映像送信装置に対応する画像を表示させる第１表示制御手段と、
前記対応する画像を指定する選択操作を受ける操作受付部と、
前記選択操作が入力された場合に、前記無線接続を用いて前記対応する画像を指定された映像送信装置から映像を受信する映像受信手段と、
受信された映像を前記表示画面に表示させる第２表示制御手段と
を備える映像受信装置。
【請求項２】
前記選択操作の前に、前記探索により発見された映像送信装置と所定の著作権保護方式に従って暗号鍵を交換して暗号鍵を生成する暗号鍵処理を実行する暗号鍵処理手段を更に備え、
前記映像受信手段は、前記暗号鍵により暗号化された前記映像を受信し、
前記第２表示制御手段は、受信された前記映像を、生成された前記暗号鍵を用いて復号して前記表示画面に表示させる、請求項１記載の映像受信装置。
【請求項３】
前記許可情報を認証した映像送信装置を、前記許可情報を認証した順番又は前記無線接続が確立された順番に応じて順番待ち登録する順番待ち登録手段を更に備え、
前記映像受信手段は、ある映像送信装置から映像を受信している場合に当該映像送信装置との無線接続が切断されると、前記順番待ち登録の登録順に応じた映像送信装置から映像を受信する、請求項１記載の映像受信装置。
【請求項４】
前記第１表示制御手段は、前記対応する画像を指定するためのカーソル画像を前記表示画面に表示させ、当該カーソル画像が前記表示画面上の、前記どちらにも該当しない映像送信装置として区別された前記対応する画像の位置にある場合、前記許可情報を前記表示画面に表示させる、請求項１記載の映像受信装置。
【請求項５】
前記第１表示制御手段は、前記暗号鍵処理を実行したか否かに関する暗号鍵情報を前記表示画面に表示させる、請求項２記載の映像受信装置。
【請求項６】
前記第１表示制御手段は、前記探索により発見された映像送信装置が前記所定の著作権保護方式による映像の無線送信に対応しているか否かに関する対応情報を前記表示画面に表示させる、請求項２記載の映像受信装置。
【請求項７】
前記暗号鍵処理手段は、前記所定の著作権保護方式に対応した複数の映像送信装置のうち、所定数までの装置と前記暗号鍵処理を実行する、請求項２記載の映像受信装置。
【請求項８】
前記暗号鍵処理手段は、前記所定数までの映像送信装置と前記暗号鍵処理を実行している場合に所定の映像送信装置との前記無線接続が確立されると、当該所定の映像送信装置と前記暗号鍵処理を実行する、請求項６記載の映像受信装置。
【請求項９】
外部の映像送信装置を探索することと、
探索により発見された前記映像送信装置から、自装置との無線通信を許可するための許可情報を受信することと、
前記許可情報を認証した映像送信装置と無線接続を確立することと、
自装置と無線接続したことがある映像送信装置を登録することと、
前記登録手段に登録されている映像送信装置と、自装置との無線接続が確立されている映像送信装置と、前記登録されている映像送信装置及び前記無線接続が確立されている映像送信装置のどちらにも該当しない映像送信装置と、を区別した表示形態で、表示画面に、前記探索により発見された映像送信装置に対応する画像を表示させることと、
前記対応する画像を指定する選択操作を受けることと、
前記選択操作が入力された場合に、前記無線接続を用いて前記対応する画像を指定された映像送信装置から映像を受信することと、
受信された映像を前記表示画面に表示させることと
を備える映像受信方法。
【発明の詳細な説明】
【技術分野】
【０００１】
本発明の実施形態は、映像受信装置及び映像受信方法に関する。
【背景技術】
【０００２】
ＰＣ等の装置が映像を無線送信し、当該無線送信された映像をディスプレイ等の表示装置が受信して表示する技術がある。この技術においては、画像出力装置はディスプレイ装置との無線接続のセキュリティ設定を行った後、１対１通信により映像を送信する。また、著作権保護コンテンツの送信を行う場合には、暗号鍵生成の為の情報を映像送信側と映像受信側の装置で送受信した後にコンテンツの送受信が行われる。そして、表示装置は、映像の送信元の装置を他の装置に切り替える場合には、他の装置とのセキュリティ設定や暗号鍵生成処理等を再度実行する。
【先行技術文献】
【特許文献】
【０００３】
【特許文献１】特開２００５−２６６７７７号公報
【発明の概要】
【発明が解決しようとする課題】
【０００４】
ここで、表示装置があるソースの映像の表示から、ＰＣ等の映像送信装置からの映像の表示に切り替える場合には、当該切り替えに係る処理を好適に実行できることが好ましい。
【０００５】
これに対し本発明の実施形態は、映像ソースの切り替えに係る処理を好適に実行することができる映像受信装置及び映像受信方法の提供を目的とする。
【課題を解決するための手段】
【０００６】
上記の課題を解決するために、本実施形態の映像受信装置は、外部の映像送信装置を探索する探索手段と、探索により発見された前記映像送信装置から、自装置との無線通信を許可するための許可情報を受信する受信手段と、前記許可情報を認証した映像送信装置と無線接続を確立する接続手段と、自装置と無線接続したことがある映像送信装置を登録する登録手段と、前記登録手段に登録されている映像送信装置と、自装置との無線接続が確立されている映像送信装置と、前記登録されている映像送信装置及び前記無線接続が確立されている映像送信装置のどちらにも該当しない映像送信装置と、を区別した表示形態で、表示画面に、前記探索により発見された映像送信装置に対応する画像を表示させる第１表示制御手段と、前記対応する画像を指定する選択操作を受ける操作受付部と、前記選択操作が入力された場合に、前記無線接続を用いて前記対応する画像を指定された映像送信装置から映像を受信する映像受信手段と、受信された映像を前記表示画面に表示させる第２表示制御手段とを備える。
【図面の簡単な説明】
【０００７】
【図１】実施形態の映像受信装置の利用形態例を示す図。
【図２】実施形態の映像受信装置及び映像送信装置のシステム構成例を示す図。
【図３】実施形態の映像受信装置が生成する入力切替画面の画面例を示す図。
【図４】実施形態の映像受信装置が生成するパスキー画面の画面例を示す図。
【図５】実施形態の映像受信装置による、映像ソースの切替処理例を示す図。
【図６】実施形態の映像受信装置による映像受信に係る処理フロー例を示す図。
【図７】実施形態の映像送信装置による映像送信に係る処理フロー例を示す図。
【発明を実施するための形態】
【０００８】
以下、図面を参照して実施形態を説明する。
図１は実施形態に係る映像受信装置の利用形態例を示す図である。実施形態の映像受信装置は、例えば表示装置１００として実現されている。ここで映像受信装置１００は、リモートコントローラ（リモコン）２００からの制御信号に応じて、自装置が表示する映像の入力を切り替える。即ち、例えば放送波に重畳された放送番組の映像と、ＨＤＭＩ等の有線インタフェース等から入力される映像と、ＩＥＥＥ８０２．１１規格の無線ＬＡＮ（Ｗｉ−Ｆｉ）等の無線通信により受信する映像とのうち、自装置が表示すべき映像をリモコン２００からの制御信号に応じて選択・切替する。そして表示装置１００は、選択したソースの映像を表示する。
【０００９】
コンピュータ３００乃至５００は、無線ＬＡＮ等の無線通信により表示装置と接続し、映像を送信することができる。ここでコンピュータ３００乃至５００は、表示装置１００に映像を送信する場合、表示装置１００との無線通信のためのセキュリティ設定を行う。ここでセキュリティ設定とは例えばＰＩＮコード等のパスキーによる装置の固体認証等であり、コンピュータ３００乃至５００は、表示装置１００に設定されたパスキーを取得して表示装置１００に送信すると、当該表示装置１００との無線通信が表示装置１００により許可される。
【００１０】
またコンピュータ３００乃至５００は、著作権保護コンテンツを送信する場合、表示装置１００との間で例えばＨＤＣＰ（Ｈｉｇｈ−ｂａｎｄｗｉｄｔｈ  ｄｉｇｉｔａｌ
【００１１】
ｃｏｎｔｅｎｔ  ｐｒｏｔｅｃｔｉｏｎ  ｓｙｓｔｅｍ）規格に従った処理を行う。即ち、保護コンテンツの映像送信前には、ＨＤＣＰ規格に従って認証および鍵交換の処理を実行し、映像のＥＳ用の暗号鍵を決定する。そして映像送信時には、決定した暗号鍵により映像を暗号化して送信する。
【００１２】
図２は表示装置１００及びコンピュータ３００の機能ブロック例を示す図である。なおコンピュータ４００及び５００の機能ブロックはコンピュータ３００と同様であり、ここでは説明を省略する。
【００１３】
表示装置１００は、受信部１０１、ＨＤＭＩ入力部１０２、無線通信部１０３、切替部１０４、映像処理部１０５、表示部１０６、操作受付部１０７、ＧＵＩ処理部１０８、暗号処理部１０９、無線制御部１１０、格納部１１１等を備える。ここで受信部１０１は、放送番組の映像データが重畳された放送信号を受信し、受信したデータを切替部１０４に出力する。ＨＤＭＩ入力部１０２には、ＨＤＭＩケーブルが接続され、当該ケーブルを介して接続された外部装置から送信された映像データが入力される。そしてＨＤＭＩ入力部１０２は、入力されたデータを切替部１０４に出力する。無線通信部１０３は、コンピュータ３００乃至５００等の装置と通信を行う。そして無線通信部１０３は、これら装置から送信される映像データを受信し、受信したデータを切替部１０４に出力する。なお無線通信部１０３は、受信する映像データが例えばＨＤＣＰ等に従った著作権保護方式で暗号化されている場合、当該映像データを暗号処理部１０９経由で切替部１０４に出力する。
【００１４】
切替部１０４は、受信部１０１、ＨＤＭＩ入力部１０２及び無線通信部１０３のうち１つのモジュールを選択し、当該選択したモジュールから出力された映像データを映像処理部１０５に出力する。なお上述の通り、無線通信部１０３からの映像データは暗号処理部１０９を介して切替部１０４に入力される場合もある。
【００１５】
映像処理部１０５は、切替部１０４から入力された映像データをデコードし、デコードした映像データを表示部１０６が表示可能な形式の映像信号に変換する。また映像処理部１０５は、ＧＵＩ処理部１０８から映像データが入力されると、当該映像データを映像信号に変換し、当該映像信号と切替部１０４からの映像データの映像信号とを重畳させて表示部１０６に出力する。そして表示部１０６は、入力された映像信号を用いて映像を表示する。
【００１６】
操作受付部１０７は、リモコン２００や表示装置１００に設けられた操作パネル（不図示）に入力された操作入力を受け付ける。なお操作受付部１０７は、例えば後述する切替画面に対する操作入力を受け付ける。
【００１７】
ＧＵＩ処理部１０８は、表示部１０６に表示させる画面の映像データを生成する。ここでＧＵＩ処理部１０８は、例えば後述する切替画面の映像データを生成して表示部１０６に表示させる。またＧＵＩ処理部１０８は、表示部１０６が表示した切替画面に対する操作入力が操作受付部１０７に入力されると、当該操作入力に応じて切替部１０４を制御する。即ち、操作受付部１０７に放送番組の映像の表示を指示する操作が入力された場合、ＧＵＩ処理部１０８は、受信部１０１が受信した映像データの映像処理部１０５への出力を切替部１０４に指示する。同様に、ＨＤＭＩ入力部１０２や無線通信部１０３に入力される映像データの映像の表示を指示する操作が操作受付部１０７に入力された場合、ＧＵＩ処理部１０８は、当該操作に応じたモジュールの映像データを映像処理部１０５へ出力するよう切替部１０４に指示する。
【００１８】
暗号処理部１０９は、無線通信部１０３が暗号化された映像データを受信する場合に、無線制御部１１０が決定した暗号鍵を用いて当該暗号化映像データを復号し、復号した映像データを切替部１０４に出力する。
【００１９】
無線制御部１１０は無線通信部１０３による無線通信を制御する。無線制御部１１０は、コンピュータ３００乃至５００等の外部装置との無線通信を確立する場合、無線通信のセキュリティに関する設定を行う。当該設定において無線制御部１１０は、外部装置に対してパスキーを要求し、外部装置から送信されたパスキーを受信する。そして無線制御部１１０は、当該パスキーが自装置に設定されたパスキーと一致する場合、当該外部装置に対して自装置との無線通信の接続確立を許可する。このとき無線制御部１１０は、接続確立を許可した装置の識別子を格納部１１１に記憶させ、当該装置を登録済み装置として登録する。
【００２０】
さらに無線制御部１１０は、所定の著作権保護方式に従った認証および鍵交換の処理を外部装置との間で実行し、映像データのストリームを暗号化させるための暗号鍵を決定する。そして無線制御部１１０は、決定した暗号鍵を暗号処理部１０９に出力する。
【００２１】
なお表示装置１００は、外部装置と無線通信する場合に上述のセキュリティ設定を毎回実行する。そして表示装置１００は、例えば同時刻において複数の外部装置とのセキュリティ設定が完了している場合、どの外部装置が先にセキュリティ設定を完了したかについての順番待ち情報を格納部１１１に記憶しても良い。また表示装置１００は、複数装置との無線接続を維持できる場合、無線接続が完了した順番についての順番待ち情報を記憶しても良い。
【００２２】
次にコンピュータ３００を説明する。コンピュータ３００は、操作受付部３０１、無線制御部３０２、読込部３０３、映像処理部３０４、表示部３０５、暗号処理部３０６、無線通信部３０７等を備える。
【００２３】
操作受付部３０１はユーザからの操作入力を受け付ける。ここで操作受付部３０１は、例えばコンピュータ３００が表示中の映像の表示装置１００への送信を指示する映像送信操作や、ＰＩＮコード等のパスキーを入力する操作等を受け付ける。
【００２４】
無線制御部３０２は、コンピュータ３００による無線通信を制御する。無線制御部３０２は、操作受付部３０１が映像送信操作を受けると、無線通信部３０７から表示装置１００に対して接続要求を送信させる。なお当該接続要求はコンピュータ３００の識別子を含む。なお無線制御部３０２は、表示装置１００からの探索信号を受信した場合にも、表示装置１００に自装置の識別子を含む信号を送信する。そして無線制御部３０２は、接続要求に対してパスキーを要求する応答を受けると、操作受付部３０１に入力されたパスキーを送信する。なお無線制御部３０２は、操作受付部３０１に入力されたパスキーを図示しないメモリに記憶させ、パスキー要求を受けた場合には記憶されたパスキーを送信する。
【００２５】
また無線制御部３０２は、表示装置１００に対してパスキーを送信すると、表示装置１００から、当該表示装置１００との無線通信に用いられる暗号鍵を受信する。そして無線制御部３０２は、当該暗号鍵を用いて表示装置１００との無線通信の接続を確立する。なお表示装置１００は、無線通信の暗号鍵を図示しないメモリに記憶させ、次に表示装置１００と接続する際にはパスキー送信を省略し、記憶した無線通信の暗号鍵を用いて無線通信を接続してもよい。
【００２６】
また無線制御部３０２は、著作権保護コンテンツの映像データを送信する場合、当該映像データの送信前に、所定の著作権保護方式に従った認証および鍵交換の処理を表示装置１００との間で実行させる。そして無線制御部３０２は、映像データのストリームを暗号化させるための暗号鍵を決定し、決定した暗号鍵を暗号処理部３０６に出力する。
【００２７】
読込部３０３は、光学ディスクは可搬性メモリ等に記憶されたコンテンツの映像データを読み込む。映像処理部３０４は、読み込まれた映像データをデコードしたのち映像信号に変換し、表示部３０５に出力する。そして表示部３０５は、入力された映像信号を用いて映像を表示する。
【００２８】
また映像処理部３０４は、操作受付部３０１が映像送信操作を受けた場合には、読込部３０３で読み込まれた映像データを無線通信部３０７に出力する。なおこのとき映像処理部３０４は、読み込まれた映像データが著作権保護された映像データである場合、当該映像データを暗号処理部３０６に出力する。
【００２９】
暗号処理部３０６は、映像処理部３０４から入力された映像データを、無線制御部３０２から入力された暗号鍵を用いて暗号化し、暗号化したデータを無線通信部３０７に出力する。そして無線通信部３０７は、表示装置１００との無線通信を実行し、映像処理部３０４又は暗号処理部３０６から入力された映像データを表示装置１００に送信する。
【００３０】
図３（Ａ）は、表示装置１００が生成する切替画面の例を示す図である。ここで、画面Ｐ１０には、表示装置１００が表示中の映像ソースと選択可能な映像ソースとを示す画像Ｐ１１が配置される。そして画像Ｐ１１には、受信部１０１が受信した放送番組の映像を表示させるための画像Ｐ１２、ＨＤＭＩ入力部１０２に入力された映像を表示させるための画像Ｐ１３及びＰ１４、無線通信部１０３が受信した映像を表示させるための画像Ｐ１５が表示される。また画像Ｐ１１には、現在表示中の映像のソースを示すカーソル画像Ｐ１６と、映像ソースを切り替える場合の切替先を選択するためのカーソル画像Ｐ１７とが表示される。
【００３１】
さらに、表示装置１００が無線通信部１０３の通信相手となる外部通信装置を探索中の場合には、探索中の旨を示す画像Ｐ１８が表示される。なお、表示装置１００は、例えば一定期間毎やユーザから外部通信機器の探索を指示する操作を受けた場合に探索を実行する。
【００３２】
図３（Ｂ）は、無線通信部１０３が受信した映像を表示させるための画像の表示態様例を示す。表示装置１００は、無線通信部１０３が、表示装置１００に映像を送信可能な通信相手を発見（検出）していない場合には画像Ｐ２１を、当該通信相手を発見している場合には画像Ｐ２２を表示する。なお、通信相手を発見した場合とは、例えば表示装置１００が周囲の装置に対して探索信号を無線送信して当該探索信号に対する応答信号を受信した場合や、あるいは外部装置から接続要求を受けた場合等である。そして表示装置１００は、当該応答信号や接続要求に含まれる外部装置の装置識別子が、格納部１１１に格納された登録済み装置の識別子と一致するか否かを判別することにより、発見された装置が登録済み装置であるか否かを判別する。
【００３３】
表示装置１００は、通信相手を発見した場合に、当該通信相手の装置名を取得して画像Ｐ２３のような表示形態で示しても良い。そして画像Ｐ２３には、発見した装置と表示装置１００との関係を示す画像Ｐ２３乃至Ｐ２６が含まれていても良い。ここで画像Ｐ２４は、当該画像に対応する装置が表示装置１００と接続したことがないことを示す。即ち、表示装置１００に対してパスキーを送信しておらず、格納部１１１に登録済み装置として登録されていない装置については画像Ｐ２４が表示される。画像Ｐ２５は、以前に表示装置１００と接続したことがあるが現段階において無線接続が確立していないことを示す。そして画像Ｐ２６は、現在表示装置１００と無線接続されていることを示す。
【００３４】
なお画像Ｐ２３には、発見された装置と表示装置１００との間で所定の著作権保護方式に従った鍵交換処理が完了しているか否かを示す画像を表示しても良いし、また、発見された装置が所定の著作権保護方式に対応しているか否かを示す画像を表示しても良い。
【００３５】
図３（Ｃ）乃至（Ｅ）は、表示装置１００が外部装置を発見した場合に表示する画像の例を示す。図３（Ｃ）の例では、図３（Ａ）の画像Ｐ１５の側方に、発見された装置の一覧Ｐ３１が表示され、夫々の装置について、表示装置１００との関係を示す画像が表示される。そして図３（Ｄ）及び（Ｅ）の例では、図３（Ａ）の画像Ｐ１５の位置に重畳する形態で、発見された装置の一覧Ｐ３２やＰ３３が表示される。なお一覧Ｐ３１乃至Ｐ３３を表示するタイミングとしては、無線装置が発見されたタイミングでも良いし、あるいは無線装置が発見された後、カーソル画像Ｐ１７により画像Ｐ１５が選択されたタイミングでも良い。
【００３６】
図４は、表示装置１００が生成するパスキー表示画面の他の例を示す図である。図４（Ａ）は、図３で示したような切替画面においてパスキーを表示する場合の画面構成例を示す。表示装置１００は、当該表示装置１００と接続したことがない装置を発見すると、画面Ｐ４０を表示する。当該画面Ｐ４０においては、パスキー通知画像Ｐ４１が表示される。そして当該画像Ｐ４１には、パスキーを示す画像とパスキーの入力を促す画像が表示される。なおパスキー通知画像Ｐ４１の表示タイミングとしては、表示装置１００と接続したことがない装置が発見されたタイミングや、表示装置１００と接続したことがない装置を示す画像の位置にカーソル画像Ｐ１７が移動したタイミング等が挙げられる。
【００３７】
図４（Ｂ）は、表示装置１００と接続したことがない装置を映像のソースとして選択した場合に表示されるパスキー表示画面例を示す。表示装置１００は、格納部１１１に登録されていない装置を映像ソースとして選択した場合、当該装置と自装置との接続を許可していないため、当該装置の画面を表示せず画面Ｐ５０を表示する。画面Ｐ５０においては、ソースとして選択している装置を示す画像Ｐ５１と、パスキー通知画像Ｐ５２とが表示される。
【００３８】
図５は表示装置１００による映像ソースの切替処理例を示す。まず、表示装置１００とコンピュータ３００との無線接続が確立・維持されており、コンピュータ３００からの映像を表示装置１００が受信・表示しているとする（図５（Ａ））。そしてコンピュータ３００の映像を表示装置１００が受信している場合に、コンピュータ４００及び５００からの接続要求を受けると、表示装置１００はこれら装置との接続設定を完了させ、夫々の装置を当該設定が完了した順で順番待ち装置として登録する（図５（Ｂ））。なおここで接続設定とは、例えば上述したパスキーの送受信から無線通信の許可に係る処理を指すが、所定著作権保護方式に従った鍵交換処理を含んでいても良い。
【００３９】
また表示装置１００は、複数の装置との無線接続を維持できる場合、夫々の装置との接続設定の完了の後に無線接続を確立させて、これら装置を順番待ち装置として登録させても良い。言い換えると、表示装置１００は、順番待ちとして登録する装置との接続設定を完了させた後、無線接続を維持しても良いし維持しなくとも良い。
【００４０】
次にコンピュータ３００が表示装置１００に対する映像送信を停止して無線接続を切断すると（図５（Ｃ））、表示装置１００は、順番待ちの先頭として登録されているコンピュータ４００からの映像を受信・表示する。なお表示装置１００は、コンピュータ３００から映像を受信していた場合にコンピュータ４００との接続を維持していなかった場合には、順番待ち登録時に完了した接続設定の内容を用いてコンピュータ４００との無線接続を確立する。また表示装置１００は、コンピュータ３００との接続を切断する場合に当該コンピュータ３００の接続設定を記憶し、再度コンピュータ３００と接続する場合に当該接続設定を利用して接続確立しても良い。
【００４１】
また表示装置１００は、順番待ちとして登録する装置の数に上限を設けても良い。更に表示装置１００は、接続設定を行う順番について優先度を設定しても良い。例えば、表示装置１００が外部装置を探索した際に、装置Ａ乃至装置Ｄを装置Ａから装置Ｄの順番で発見したとする。ここで、順番待ち装置の数の上限を３としていた場合、表示装置１００は装置Ｄとの接続設定を実行しない。また、装置Ｃの接続設定の優先度を他の装置よりも高く設定していた場合には、現在接続設定を実行中の装置との接続設定を中断して装置Ｃとの接続設定を実行する。現在接続設定を実行中の装置との接続設定が完了してから、接続設定未処理の他の装置よりも先に装置Ｃとの接続設定を実行する。そして表示装置１００は、発見した装置を、装置Ｃ、装置Ａ、装置Ｂの順番で順番待ちに登録する。
【００４２】
また表示装置１００は、著作権保護に係る鍵交換・鍵生成処理を実行して順番待ち登録させる装置の数に上限を設けても良い。例えばＨＤＣＰ規格においては、一般的なシンク機器は１つの鍵しか保持していない場合が多い。ここで、鍵が１つしかない場合に多数のソース機器と鍵認証しようとすると、当該鍵認証の処理が複雑化して処理負荷が高くなる恐れがあるが。そこで表示装置１００は、鍵認証する装置数に上限を設けて、鍵認証処理の処理負荷を抑えるようにしてもよい。
【００４３】
即ち、表示装置１００は、例えば４台までは無線通信の許可に係る処理を実行した後に順番待ち装置として登録するが、著作権保護処理については、これら４台のうち例えば２台までしか実行しないようにしても良い。言い換えると表示装置１００は、順番待ち登録させる４台の装置のうち、２台については無線通信の許可に係る処理と著作権保護処理との両方を実行して登録し、他の２台については無線通信の許可に係る処理を実行し著作権保護処理を実行せずに登録する。
【００４４】
更に表示装置１００は、著作権保護処理を実行する順番について優先度を設けても良い。即ち、例えば表示装置１００による外部装置探索時に、著作権保護に対応した装置を複数発見した場合、高い優先度を設定した装置との著作権保護処理を先に実行するようにしてもよい。また表示装置１００は、鍵認証されている装置の数が設定上限に達している場合に、新たな装置を発見し（あるいは新たな装置から接続要求を受け）、当該新たな装置の鍵認証の優先度が高く設定されている場合、現在鍵認証している装置との鍵認証状態を解除して、当該新たな装置と鍵認証を行う。
【００４５】
次に図６を参照して、表示装置１００による映像受信に係る処理フロー例を説明する。図６（Ａ）のフローにおいて、まず無線制御部１１０は、予め設定された一定期間が経過した場合及び又は外部機器の探索を指示するユーザ操作を受けた場合（Ｓ６０１のＹｅｓ）、探索信号を送信して外部装置を探索する（Ｓ６０２）。そして、外部装置を発見した場合（Ｓ６０３のＹｅｓ）、即ち探索信号に対する応答信号を受信した場合、無線制御部１１０は、当該探索信号に含まれる装置の識別子が格納部１１１に記憶された登録済み装置の識別子に一致するか否か判別する。なお、外部装置から接続要求を受けた場合もＳ６０３のＹｅｓに該当する。即ち無線制御部１１０は、接続要求を受けた場合には当該接続要求に含まれる装置識別子により、外部装置が登録済み装置であるか否か判別する。
【００４６】
そして発見された装置が登録済み装置であった場合、無線制御部１１０は、応答信号を送信した装置と無線セキュリティ処理を実行する（Ｓ６０４）。当該処理において無線制御部１１０は、外部装置に対してパスキーの送信を要求し、当該要求に対して送信されるパスキーを受信する。そして受信したパスキーが自装置に設定されたパスキーと一致する場合、無線制御部１１０は当該外部装置に無線通信の暗号鍵を送信し、当該外部装置と自装置との無線接続を許可する。あるいは、登録済み装置に対しては既に無線通信の暗号鍵が送信されているため、無線制御部１１０はＳ６０４の処理においてパスキー要求とパスキー受信と無線暗号鍵の送信を省略し、外部装置に通信を許可してもよい。
【００４７】
続いて無線制御部１１０は、当該外部装置と、所定の著作権保護方式に従った鍵交換を実行してコンテンツ保護に用いられる暗号鍵を生成する（Ｓ６０５）。なお無線制御部１１０は、外部装置が所定の著作権保護方式での映像の無線送信に対応している場合にＳ６０５の処理を実行し、当該外部装置が当該著作権保護方式に対応していない場合はＳ６０５の処理を実行しないようにしても良い。そして無線制御部１１０は、無線セキュリティ処理や著作権保護処理が完了した装置を、順番待ち装置として格納部１１１に登録させる（Ｓ６０６）。
【００４８】
次に表示装置１００は、切替画面の表示を指示する操作入力を受けると（Ｓ６０７のＹｅｓ）、図３や図４（Ａ）に示したような切替画面を生成・表示する（Ｓ６０８）。そして、映像ソースを外部の無線装置に切り替える選択操作を受け付けた場合であって（Ｓ６０９）、当該操作が選択した装置が過去に接続された外部装置（登録済み装置）である場合（Ｓ６１０）、表示装置１００は当該外部装置に映像送信許可を送信し、Ｓ６０４及びＳ６０５での設定を用いて映像を受信する（Ｓ６１１）。そして表示装置１００は受信した映像を表示部１０６に出力する（Ｓ６１２）。なお表示装置１００は、外部装置から送信された映像が暗号化された著作権保護コンテンツの映像である場合、Ｓ６０５にて生成した暗号鍵を用いて当該映像を復号する。
【００４９】
一方Ｓ６１０において選択操作が指定した外部装置が、以前に接続されたことのある装置ではない場合（Ｓ６１０のＮｏ）、表示装置１００は図４（Ａ）のような画面によりパスキーを表示する（Ｓ６１３）。そして、当該外部装置から送信されたパスキーを受信すると（Ｓ６１４のＹｅｓ）、無線制御部１１０は、Ｓ６０４及びＳ６０５と同様に接続設定を実行し（Ｓ６１５）、外部装置から映像を受信する（Ｓ６１１）。
【００５０】
図６（Ｂ）は、図６（Ａ）のＳ６１１における他の処理例を示す図である。表示装置１００が、外部装置から映像を無線により受信している場合に、当該外部装置又は表示装置１００へのユーザ操作入力により無線接続が切断されると（Ｓ６５０）、表示装置１００は、順番待ちとして登録された装置のうち先頭の装置に対して映像送信の許可を送信する（Ｓ６５１）。そして、Ｓ６０４及びＳ６０５にて設定された設定内容を用いて、当該許可を受けた装置から映像を受信する（Ｓ６５１）。
【００５１】
次に図７を参照して、コンピュータ３００による映像送信に係る処理フローを説明する。なおコンピュータ４００及び５００の処理フローはコンピュータ３００と同様である。
【００５２】
図７（Ａ）はコンピュータ３００による映像送信の処理フロー例を示す。無線制御部３０２は、表示装置１００からの探索信号を受信すると（Ｓ７０１）、自装置の装置識別子を含む応答信号を表示装置１００宛に送信する（Ｓ７０２）。そして無線制御部３０２は、表示装置１００との無線通信の暗号鍵を以前に取得しており、当該暗号鍵を記憶している場合（Ｓ７０３のＹｅｓ）、当該暗号鍵を表示装置１００に送信して無線セキュリティ処理を実行する（Ｓ７０５）。そして当該セキュリティ処理において、表示装置１００との無線通信が許可されると、続いて無線制御部３０２は所定の著作権保護方式に従って鍵交換を実行し、暗号鍵を生成する（Ｓ７０６）。
【００５３】
そしてコンピュータ３００は、表示装置１００から映像送信許可を受信するまで待機し、映像送信許可を受信すると（Ｓ７０７のＹｅｓ）、表示装置１００に映像を送信する（Ｓ７０８）。なおここで送信される映像は、例えばコンピュータ３００が自装置の表示画面に表示している映像等である。またコンピュータ３００は著作権保護されたコンテンツの映像を送信する場合には、Ｓ７０６で生成した暗号鍵を用いてコンテンツを暗号化し、暗号化した映像を送信する。そして、表示装置１００又はコンピュータ３００に対するユーザ操作により、コンピュータ３００と表示装置１００との無線接続が切断されると、当処理フローは完了する。
【００５４】
一方Ｓ７０３において、過去に無線通信の暗号鍵を取得していない場合（Ｓ７０３のＮｏ）、コンピュータ３００は、例えば表示装置１００においてコンピュータ３００が映像ソースとして選択されて図４のような画面が表示されると、ユーザによるパスキーの入力操作やパスキーを撮像した撮像装置から入力されるデータ等からパスキーを取得する（Ｓ７１０）。そしてコンピュータ３００は、当該パスキーを表示装置１００に送信し、表示装置１００から無線通信の暗号鍵を受信（取得）し、当該無線通信暗号鍵を用いてＳ７０５と同様の接続セキュリティ処理を実行する（Ｓ７１１）。続いて無線制御部３０２はＳ７０６と同様に所定の著作権保護方式に従って鍵交換を実行し、暗号鍵を生成する（Ｓ７１２）。
【００５５】
図７（Ｂ）は、コンピュータ３００による映像送信に係る他の処理フロー例を示す。なお、図７（Ａ）のフローでは表示装置１００からの探索信号に応答して接続設定が開始されたが、本フローでは自装置から表示装置１００への接続要求により接続設定が開始される。
【００５６】
まずコンピュータ３００は、例えばユーザから映像を表示装置１００へ無線送信するよう指示する操作入力を受けると、表示装置１００に自装置の識別子を含む接続要求を表示装置１００宛に送信する。次にコンピュータ３００は、表示装置１００にパスキーを送信して無線通信の許可を受け（Ｓ７５２）、暗号鍵を交換して暗号鍵を生成する（Ｓ７５３）。そしてコンピュータ３００は、表示装置１００からの映像送信許可を受信すると（Ｓ７５４）、表示装置１００に映像を送信する（Ｓ７５５）。
【００５７】
本発明のいくつかの実施形態を説明したが、これらの実施形態は、例として提示したものであり、発明の範囲を限定することは意図していない。例えば、表示装置１００は、外部表示装置に映像を出力して表示させる装置であっても良い。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１００…表示装置、１０１…受信部、１０２…ＨＤＭＩ入力部、１０３…無線通信部、１０４…切替部、１０５…映像処理部、１０６…表示部、１０７…操作受付部、１０８…ＧＵＩ処理部、１０９…暗号処理部、１１０…無線制御部、１１１…格納部、２００…リモートコントローラ、３００…コンピュータ、３０１…操作受付部、３０２…無線制御部、３０３…読込部、３０４…映像処理部、３０５…表示部、３０６…無線通信部
【要約】
【課題】映像ソースの切り替えに係る処理を好適に実行することができる映像受信装置及び映像受信方法の提供。
【解決手段】本実施形態の映像受信装置は、選択操作の前に映像送信装置の識別子と自装置との無線通信を許可するための許可情報とを受信する受信手段と、許可情報が受信された映像送信装置と無線接続を確立する接続手段と、１以上の映像送信装置のうち無線接続したことがある装置を登録する登録手段と、映像送信装置の装置を識別する識別情報と、映像送信装置を選択可能とする選択画像と、当該映像送信装置が登録手段に登録されているか否かに関する登録情報と、当該映像送信装置と自装置との無線接続が確立されているか否かに関する接続情報とを共に表示させる第１表示制御手段と、選択画像を指定する選択操作を受けた場合に、無線接続を用いて映像送信装置から映像を受信する映像受信手段と、受信された映像を表示させる第２表示制御手段を備える。
【選択図】  図２【図１】
0005132807.tif 000002
【図２】
0005132807.tif 000003
【図３】
0005132807.tif 000004
【図４】
0005132807.tif 000005
【図５】
0005132807.tif 000006
【図６】
0005132807.tif 000007
【図７】
0005132807.tif 000008